(57)【要約】      （修正有）【課題】手首に装着したブレスレットが急激に引き出されて手首を締め付けることがないように安全で、軽く、使い勝手のよいファッション性豊かな、そしてコストパフォーマンスのよいペット散歩用パラコードブレスレットを提供する。【解決手段】パラシュートコード及び／若しくは合成繊維糸材で編まれたブレスレットであり、一端にリング部２と、他の一端である他のコードと連結するためのリード部３と、前記リング部と前記リード部との中間に位置して手首を覆う飾り部５と、前記リード部と前記飾り部との間に位置するこぶ結び部４とを具備するパラコードブレスレット１であって、前記こぶ結び部の外形の大きさが前記リング部の内径の大きさより大きいことに特徴を有するパラコードブレスレット。【選択図】図１
0003234226.tif 000002
【実用新案登録請求の範囲】
【請求項１】
パラシュートコード及び／若しくは合成繊維糸材で編まれたブレスレットであり、
一端のリング部と、
他のコード若しくは物品と連結するためのもう一方の一端であるリード部と、
前記リング部と前記リード部との中間に位置して手首を覆う飾り部と、
前記リード部と前記飾り部との間に位置するこぶ結び部と
を具備するパラコードブレスレットであって、
前記こぶ結び部の外形の大きさが前記リング部の内径の大きさより大きいことに特徴を有するパラコードブレスレット。
【請求項２】
前記リング部と前記リード部と前記こぶ結び部は、前記パラシュートコード及び／若しくは合成繊維糸材で編まれた一連の一本のひも体であって、
前記飾り部の外周部は、パラシュートコード及び／若しくは合成繊維糸材で編まれた別のひも体の飾り編み部であることに特徴を有する請求項１に記載のパラコードブレスレット。
【請求項３】
前記他のコードはペット首輪から連結するコードであって、
前記こぶ結び部は前記リング部の内径をくぐり抜けることのできない大きさであって、
前記パラコードブレスレットは、ペット散歩用コード保持目的のパラコードブレスレットであることに特徴を有する請求項１乃至２のいずれか１項に記載のパラコードブレスレット。
【考案の詳細な説明】
【技術分野】
【０００１】
本発明は、犬などのペットを散歩させる際の、ペット首輪につなぐコードを把持するためのブレスレットの形態に関する。
【背景技術】
【０００２】
一般的に、犬などのペットを屋外で散歩させる際、ペットが走り逃げないためにペットの首輪に鎖又は紐などの長いコードを連結させ、その一端を飼い主が把持し散歩に供する。飼い主は、ペットの散歩において、ペットは往々にして突如として走り出したり、急に向きを変えて走ったりするため、つながれたコードをしっかり把持することに注意を要する。以降、ペットの首輪につながれた長い鎖や紐などを「コード」と称する。
【０００３】
例えば、ペットである犬の散歩中に突然その犬が走り出したため、飼い主は犬の走る力に負け、思わず把持したコードを手放してしまうようなことも頻繁に発生する。コードを放たれた犬は、走り出し、道路脇を走る自転車走行者にぶつかり、自転車走行者が道路側に倒れ、道路を走る自動車と接触し大怪我をするというような事故を起こす事例も多い。
【０００４】
このような事態の発生を防止するため、ペット首輪につながれたコードを飼い主は強固に把持する必要があることは当然である。このような必要性から、ペット飼い主は、ペットの散歩の際、ペット首輪につながれたコードの一端を、飼い主が自らの手首に装着した手首用リングであるブレスレット（このような手首用リングを以降「ブレスレット」と称する。）に連結することが多い。また糞の処理などには両手を要するため特に手首ブレスレットにつながれたコードは好適である。手首からブレスレットが安易に外れないようにリング径などを手首の太さに合わせて調節することによって、ペットが急に走り出しても、首輪につながれたリードを不意に手放すことがないようにするのが一般的である。
【０００５】
また、ペットが大型犬のような場合は、急激に走り出す力は予想以上に強く、犬の首輪につながれたコードやそのコードと連結されたブレスレットが引きちぎれてしまう場合もある。そのようなコードの引きちぎれを防止するため、現在では一般的にコードやコードに連結されるブレスレットは、パラシュートコードと呼ばれる非常に引っ張り力に強く、且つ切れにくい材質でできたコードを用いることが多い。
【０００６】
パラシュートコードは、特殊な化学繊維（合成樹脂）であるナイロンやポリエステルで編まれた化学繊維コードであり、パラシュート（落下傘）や登山用ロープに用いられるコード又はロープであり非常に強く切れにくい。また引き延ばし力に強く、ほとんど延伸しない。吸湿性も微少で、雨水などに濡れても吸水及び吸湿せず撥水性豊かで水に濡れて切れるようなことがない。また、表面は一定の潤滑性・滑らかさを有し、肌触りもよい。
【０００７】
パラシュートコードは一般的に、「パラコード」と略しても呼ばれている。以降、本願の説明においても、パラシュートコードをパラコードと略して記載する。パラコードは、化学合成繊維であるため様々な色の繊維が製作できるため、カラフルな色製品が存在し、一般的なファッション的美観からも人気が高い。よって近年では、ペットの散歩に使われるペット首輪との連結コード、及びそのコードにつながれる手首用ブレスレットの素材としてパラコードが使われている。特にブレスレットとしてのパラコードは様々な編み方によって、色及び形状からもファッション性が高く、特に女性の人気が高い。
【０００８】
しかし、このような対応をしても、例えば、犬など大きなペットが散歩中に突如として走り出した場合などは、首輪コードはブレスレットに強固に連結されているため首輪コードを思わず手放すことは防止できるが、大型犬などの急激に走る力は非常に大きいため、急激にブレスレットが強く締め付けられて、手首を怪我することも多い。特に、飼い主が女性や子供のような場合は、ペットの急激に走る力で締め付けられるブレスレットによって手首を締め付けられて手首骨折などの事故を起こすこともある。
【０００９】
このような課題を想定して、本発明は考案された。しかし先行技術文献を検索すると、犬などのペットの首輪や首輪に連結されたコードに関する文献は多いが、このコードを手に把持するための機材に関するものは見当たらない。
【００１０】
たとえば、特許文献１には、ペットの首輪に連結されたコードを延伸したり収容したりすることができる言わば釣り竿形式の技術思想が開示されている。確かに、ペットの急激な走り出しにおいては、自動でコードを延伸させることにより対応できるが、この技術思想は釣り竿のような器具を飼い主が手で把持する形態であり、飼い主がその釣り竿形式の器具を不意に手放してしまえば走り出すペットを制御することができないという欠点がある。
【００１１】
また特許文献２では、ペットの首輪からコードを連結して飼い主の把持部までを一貫連結させた首輪付きペット用リージュについての技術思想が開示されている。しかし、この技術思想の本質部は、ペットの首輪連結部及び飼い主の把持部に特殊なスイベルを具備することによって、ペットが四方八方に走りまわる際、コードがねじれて絡まることを防止することにある。
【００１２】
このように、以上の先行技術文献には、ペットの散歩時に急激に走り出したペットを確実に制御し、且つ飼い主の手首損傷事故を防止するような技術の開示はなく、すでに記載したようなペット散歩時の様々な問題点の根本的な解決策を提示したことにはなっていないし言及もされていない。
【先行技術文献】
【特許文献】
【００１３】
【特許文献１】特許第４９８８９５４号
【特許文献２】実用新案登録第３１９３１５５号
【考案の概要】
【考案が解決しようとする課題】
【００１４】
上述したように、犬など大きなペットが散歩中に突如として走り出した場合などは、首輪コードはブレスレットに強固に連結されているため首輪コードを思わず手放すことは防止できるが、大型犬などの急激に走る力は非常に大きいため、急激にブレスレットが強く締め付けられて、手首を怪我することも多い。特に、飼い主が女性や子供のような場合は、ペットの急激に走る力で締め付けられるブレスレットによって手首を締め付けられて手首骨折などの事故を起こす。
【００１５】
よって、ペットの首輪につながれたコードが強くひかれた場合であっても、手首に装着したブレスレットが急激に引き出されて手首を締め付けることがないような安全なパラコードブレスッレットを開発することが本発明に係る課題である。
【００１６】
例えばパラコードブレスレットとペット首輪からのコードとの連結部を、特殊な金属金具を用いて連結されたような場合は、上記課題の解決手段の一つとなる。しかし、特殊な金属金具は比較的高価である。その日の気分やファッション性を考慮して、数種類の美しい編み形状をもつパラコードブレスレットを簡易に付け替えて使用したいというような女性の用途から考えると、高価な金属金具を具備したパラコードブレスレットは効果でコストパフォーマンスに欠ける。また、金属金具は往々にして重く、軽くて強いパラコードブレスレットの快適性を阻害してしまうことにもなる。
【００１７】
このようなことに鑑み、本発明の課題は、手首に装着したブレスレットが急激に引き出されて手首を締め付けることがないように安全で、軽く、使い勝手のよいファッション性豊かな、そしてコストパフォーマンスのよいペット散歩用パラコードブレスレットを提供することにある。
【課題を解決するための手段】
【００１８】
かかる課題を解決するため、本考案に係るパラコードブレスレットは、パラシュートコード及び／若しくは合成繊維糸材で編まれたブレスレットであり、一端に位置するリング部と、他のコード若しくは物品と連結するためのもう一方の一端に位置するリード部と、前記リング部と前記リード部との中間に位置して手首を覆う飾り部と、前記リード部と前記飾り部との間に位置するこぶ結び部とを具備するパラコードブレスレットであって、前記こぶ結び部の外形の大きさが前記リング部の内径の大きさより大きいことに特徴を有する。
【００１９】
また、本考案に係るパラコードブレスレットは、前記リング部と前記リード部と前記こぶ結び部は、前記パラシュートコード及び／若しくは合成繊維糸材で編まれた一連の一本のひも体であって、前記飾り部の外周部は、パラシュートコード及び／若しくは合成繊維糸材で編まれた別のひも体の飾り編み部であることに特徴を有する形態をとることもできる。
【００２０】
そして、本考案に係るパラコードブレスレットは、前記他のコードはペット首輪から連結するコードであって、前記こぶ結び部は前記リング部の内径をくぐり抜けることのできない大きさであって、前記パラコードブレスレットは、ペット散歩用コード保持目的のパラコードブレスレットとしての形態をとることもできる。
【００２１】
上記のように、本考案に係るパラコードブレスレットは、一端のリード部を他端のリング部内径に挿入して略リング状形態をとることができ、人の手首に装着することによってブレスレットとなる。
【００２２】
例えば一端のリード部を他のコード又は物体と連結させることによって、本考案に係るパラコードブレスレットを手首に装着した人は、リード部に連結されたコード若しくは物品を確実に保持制御することができる。
【００２３】
例えば、本考案に係るパラコードブレスレットのリード部をペット散歩時の首輪連結コードと連結させることによって、ペット散歩用パラコードブレスレットとなる。
【００２４】
ペット散歩用パラコードブレスレットは、ペットが突然走り出した際は、散歩する飼い主の手首にブレスレットとして強固に把持されているため、ペットがコードから離れて逃げ去ることを確実に防止することができる。
【００２５】
また、ペット散歩用パラコードブレスレットは、ペットが突然走り出した際、パラコードブレスレットの一端のこぶ結び部が、もう一端のリング部の内径に引っ掛かり止まるため、ブレスレット装着者（ペット飼い主）の手首を締め付けることを防止し、手首の損傷や骨折事故を防止することができる。
【００２６】
本考案に係るパラコードブレスレットは、強固で切れず、軽く、多様な色彩で、安易に編むことができるため美観もよくファッション性を備え、金具等を用いないため安価で製造することができる。
【００２７】
本考案に係るパラコードブレスレットは、ペット連結コードや他の物品を連結させることにより確実にそれらを把持制御することができ、且つ突如の引っ張り力に対してストッパー機能を有するため手首を締め付ける事故を防止することができるブレスレットの技術思想であり、従来技術を用いた類似技術思想及び均等方法は全て本発明の技術思想に内包されるものである。
【考案の効果】
【００２８】
本考案によれば、パラコードブレスレットに連結されたペットや物品を確実に保持制御することができる。
【００２９】
本考案によれば、手首に装着したブレスレットが急激に引き出されて手首を締め付けることがないように、安全で、軽く、使い勝手のよいファッション性豊かな、そしてコストパフォーマンスのよいパラコードブレスレットを提供することができる。特にペット散歩用コード連結ブレスレットとしての使用は好適である。
【図面の簡単な説明】
【００３０】
【図１】本考案の一実施形態に係るパラコードブレスレットのイメージを示した斜視概念図である。
【図２】本考案の一実施形態に係るパラコードブレスレットのこぶ結び部の拡大概念図である。
【考案を実施するための形態】
【００３１】
以下、図面を参照して本考案を実施するための形態について説明する。なお、以下では本考案の目的を達成するための説明に必要な範囲を模式的に示し、本考案の該当部分の説明に必要な範囲を主に説明することとし、説明を省略する箇所については公知技術によるものとする。
【００３２】
図１は、本考案の一実施形態に係るパラコードブレスレットのイメージを示した斜視概念図である。同図に示すように、本考案の一実施形態に係るパラコードブレスレットは、リード部３、飾り部５、リング部２、こぶ結び部４で基本的部分が構成される。リード部３は、犬などのペットの散歩時に首輪から連結された首輪連結コードに連結される。また、飾り部５を主にした環状部（ブレスレット部）は飼い主の手首に装着されるブレスレットになる。
【００３３】
また、本考案の一実施形態に係るパラコードブレスレットは、作り方や飾り部５の編み方によっても異なるが、例えば、リード部３、リング部２及びこぶ結び部４が一本のひも体６で構成されており、飾り部５は、もう一本の別のひも体で美しく編まれている部分である。つまり、リード部３、リング部２及びこぶ結び部４を形成する一本のひも体６は、飾り部５の内部中央をくぐり通す形式で環通してつながっている。そして飾り部５は、上記ひも体６の環状部（ブレスレット部）のみの外周を覆う飾りとして一本のひも体で編まれている部分である。飾り部５はクッション性も加味するため手首を柔らかく保護する働きもある。
【００３４】
一本のひも体６は、例えばその両端を熱溶着によって接続連結されて、一本の環状体（輪）に構成されている。環状体を構成したひも体６の略中央部にこぶ結び部４を形成し、一端に形成したリング部２の内径に他端を環通させつまりくぐらせてリード部３が構成されている。リング部２とこぶ結び部４の間のブレスレット部の外周は、飾り部５で覆われ、美観をかもし出すことができる。
【００３５】
ただし、本考案の一実施形態に係るパラコードブレスレットは、上記のように二本のひも体で構成することに限定はしていない。もちろん一本のひも体で、リード部３、リング部２及びこぶ結び部４、そして飾り部５を構成することもできる。これらはパラコードの編み方の差異に過ぎない。
【００３６】
本考案の一実施形態に係るパラコードブレスレットは、構成するひも体６が、パラシュートコード（パラコード）によって作られている。パラシュートコードは、特殊な合成繊維（ナイロン又はポリエステル等の強化プラスティック繊維）で形成されており、引っ張り切断力に強く、容易には切れない。水などの吸収もなく、湿らず、膨潤せず、引き伸ばされない。雨水などが付いても水をはじき、十分な撥水性もある。つまり延伸力にも強く伸び縮みが微小である。よって、登山用のザイル（ロープ）やパラシュートのコードとしても使用されている強化プラスティック繊維のコードである。肌触りもよい。色も多彩である。
【００３７】
よって、本考案の一実施形態に係るパラコードブレスレットは、犬などのペット散歩時にブレスレットとして飼い主の腕（手首）に装着して、犬などの首輪連結コードと締結させることにより、例えば、犬などが急激に走り出したときなど、本考案の一実施形態に係るパラコードブレスレットのリードが切れることはなく、犬などが逃亡し又は他人に危害を加えることなどを防止することができる。
【００３８】
近年では、急に走り出した犬が道路を走行する自転車にぶつかり、自転車走行者が倒れ、自動車にぶつかる事故などが発生しているが、本考案の一実施形態に係るパラコードブレスレットは、これらの不慮の事故を確実に防ぐことができる。
【００３９】
図２は、本考案の一実施形態に係るパラコードブレスレットのこぶ結び部４の拡大概念図である。
【００４０】
図２に示すように、本考案の一実施形態に係るパラコードブレスレットの特徴は、図２に示すように、こぶ結び部４の外形大きさが、リング部２のリング内径よりも大きいことに特徴を有する。これによって、リード部３を強力に引いても、こぶ結び部４がリング部２の内径に引っかかり、ストッパーの機能を発揮し、リング部２とこぶ結び部４の間の飾り部５に覆われたブレスレット部（環状）を狭めつけることがないことに特徴を有する。
【００４１】
例えばペットである大型犬の散歩時には、急激に大型犬が走り出した場合、その強力な力にリード部３が引かれて、飾り部５を含めたブレスレット部が急激に狭められて、手首を締め付けられて骨折する事故などが起こる。つまり、こぶ結び部４が存在しない場合や、こぶ結び部４の大きさが小さい場合は、リード部３を強力に引くことにより、リング部２の内径をリードが潜り抜けて、ブレスレット環状の輪を急激に狭め、且つ飾り部５を押し縮めて、手首を強く圧迫することになる。特に表面が潤滑で滑らかなパラコートであるがために起こりやすい。女性や子供などが使用していた場合は特に手首損傷などの大きな事故につながる。本考案の一実施形態に係るパラコードブレスレットは、そのような事故を確実に防ぐことができる。
【００４２】
パラコードブレスレットの一端部に例えばリング部に特殊な金具を連結させて、上記事故を防止することもできるが、特殊連結金具は比較的高価であり且つ重量が重い。また、金具などに対する皮膚アレルギーをもつ人も多いため肌が敏感な人には適さない。本考案の一実施形態に係るパラコードブレスレットであれば、パラコードだけを使用して上記課題を安価に簡易に解決することができる。また、パラコードの色、編み方形状などの選択により、好みにあったパラコードブレスレットを複数所有することができる。ペット散歩時のファッション性を重要視する女性には最適である。
【００４３】
なお、本考案は上述した実施形態に限定されるものではなく、本考案の主旨を逸脱しない範囲内で種々変更して実施することが可能である。これらはすべて、本技術思想の一部である。
【００４４】
本考案に係るパラコードブレスレットは、こぶ結び部４の形状やリング部２の形状及び飾り部５の形状・編み方等を限定するものではない。パラコードを用いたいわゆる引きひも連結ブレスレットにおいてブレスレット部の手首を覆う環状部の内径を保持・維持するための技術思想であり、従来技術を用いた均等方法は全て本考案の技術思想に内包されるものである。
【産業上の利用可能性】
【００４５】
上述したように、本願に係る考案によれば、引きひも連結ブレスレットにおいてブレスレット部の手首を覆う環状部の内径を保持・維持することができ、安全で且つ安価・簡易なペット散歩用連結ブレスレットを提供することができる。
【００４６】
本考案は、ペット散歩用のみならず利用・適用可能である。よって、本願は、各種産業に対しても大きな有益性をもたらすものである。
【符号の説明】
【００４７】
１  パラコードブレスレット
２  リング部
３  リード部
４  こぶ結び部
５  飾り部
６  ひも体
【図１】
0003234226.tif 000003
【図２】
0003234226.tif 000004